(57)【要約】【課題】  耳の不自由な人に対する報知漏れを防止する音感知報知システムを提供する。【解決手段】  音感知部１の第１のセンサ部１ａ１または第２のセンサ部１ｂ１のいずれかが音を感知したときには、その感知信号Ｓａまたは感知信号Ｓｂを送信部２よりワイヤレス信号Ｗｓで受信部３側へ送信し、受信部３側においては受信した信号に従い、駆動部４により駆動される報知部５において動き報知部５ａの指針の振れにより動き報知するとともに、この動き報知部５ａに連動して第１の光報知部５ｂにより光によっても報知する。これら報知に併せて、駆動部４は第２の光報知部５ｃを感知信号Ｓａに対応して表示駆動し、第３の光報知部５ｄを感知信号Ｓｂに対応して表示駆動する。【選択図】図１
2008097559.tif 000002
【特許請求の範囲】
【請求項１】
音を感知するセンサ部を設け、該センサ部が音を感知したときには予め定めた感知信号を出力する音感知部と、
前記音感知部からの感知信号で予め設定した変調方式により変調したワイヤレス信号を送信する送信部と、
前記送信部からのワイヤレス信号を受信し、前記感知信号を復調する受信部と、
通電のオンオフにより線長が伸縮変化する形状記憶合金からなる線材を使用したものであって、前記線長の伸縮変化を駆動力源として予め定めた動きを発生し報知する動き報知部と、
前記受信部で復調した感知信号に基づき、前記動き報知部の線材に対し通電をオンオフし前記動きを発生させる駆動を予め設定した時間内において行う駆動部とを備えたことを特徴とする音感知報知システム。
【請求項２】
音を感知するセンサ部を複数設け、これら複数のセンサ部それぞれが音を感知したときには各センサ部ごとに予め定めた感知信号を出力する音感知部と、
前記音感知部からの各感知信号で予め設定した変調方式により変調したワイヤレス信号を送信する送信部と、
前記送信部からのワイヤレス信号を受信し、前記各感知信号を復調する受信部と、
通電のオンオフにより線長が伸縮変化する形状記憶合金からなる線材を使用したものであって、前記線長の伸縮変化を駆動力源として予め定めた動きを発生し報知する動き報知部と、該動き報知部と連動して点滅表示し、この点滅表示による光により報知する第１の光報知部と、前記受信部で復調した各感知信号ごとに対応して表示動作し、この表示による光により報知する前記各感知信号ごとの複数の光報知部とを設けた報知部と、
前記受信部で復調した各感知信号に基づき、前記動き報知部の線材に対し通電をオンオフし前記動きを発生させ、且つ、前記第１の光報知部を点滅表示させるとともに、前記受信部で復調した各感知信号ごとに対応して設けた前記複数の光報知部それぞれを対応する感知信号に基づき表示させる駆動を予め設定した時間内において行う駆動部とを備えたことを特徴とする音感知報知システム。
【発明の詳細な説明】
【技術分野】
【０００１】  本発明は、耳の不自由な人等に対する報知漏れを防止するようにした音感知報知システムに関するものである。
【背景技術】
【０００２】  耳の不自由な人に適した報知システムとして例えば以下の従来例がある。
この従来例は、ワイヤレス信号を発するワイヤレス送信機と、このワイヤレス信号を受信する受信部およびこのワイヤレス信号の受信を報知する報知部を有するワイヤレス受信機とを有するワイヤレス報知システムにおいて、前記報知部は、前記ワイヤレス信号の受信により発光する発光部と、前記ワイヤレス送信機からのワイヤレス信号の受信により発音する発音部とを有するとともに、ワイヤレス送信機に、前記発光部の発光をオン又はオフに設定する発光設定スイッチを設け、ワイヤレス送信機は前記発光設定スイッチの設定情報をワイヤレス信号に含めて送信し、ワイヤレス受信機はワイヤレス信号の設定情報に応じて発光部の発光をオン又はオフするようにしている（例えば、特許文献１参照）。【０００３】
【特許文献１】特開平１０−２７１５４５号公報
【発明の開示】
【発明が解決しようとする課題】
【０００４】  従来の報知システムは前記説明のように、ワイヤレス受信機側において発光と発音の双方による報知を可能な構成とし、これにより耳の不自由な人に使い易くしている。
また、ワイヤレス受信機側における発光をオン又はオフに設定可能な発光設定機能を設け、発光による報知が不要な環境下にも対応可能にしている。
しかし、発光による報知の場合、日中の室内等のような周囲が明るい環境下においてはその発光に気付かない場合があり、耳の不自由な人に対する報知漏れが生じるという問題があった。さらに、ワイヤレス受信機の設置場所によってはその発光が目立たず、発光に気付かないために耳の不自由な人に対する報知漏れが生じるという問題もあった。【０００５】  本発明は上記課題を解決するためになされたものであり、耳の不自由な人等に対する報知漏れを防止するようにした音感知報知システムを提供することを目的とする。
【課題を解決するための手段】
【０００６】  本発明は、音を感知するセンサ部を設け、該センサ部が音を感知したときには予め定めた感知信号を出力する音感知部と、前記音感知部からの感知信号で予め設定した変調方式により変調したワイヤレス信号を送信する送信部と、前記送信部からのワイヤレス信号を受信し、前記感知信号を復調する受信部と、通電のオンオフにより線長が伸縮変化する形状記憶合金からなる線材を使用したものであって、前記線長の伸縮変化を駆動力源として予め定めた動きを発生し報知する動き報知部と、前記受信部で復調した感知信号に基づき、前記動き報知部の線材に対し通電をオンオフし前記動きを発生させる駆動を予め設定した時間内において行う駆動部とを備えた音感知報知システム提供するものである。
【発明の効果】
【０００７】  以上説明したように、本発明によれば、音感知部で音を感知したときには、その感知信号を送信部よりワイヤレス信号で受信部側へ送信し、受信部側は受信した信号に従い、動き報知部により動き報知するので、日中の室内等のように周囲が明るい環境下であってもこの動き報知により耳の不自由な人等に対する報知漏れを防止することができる。
また、動き報知部は形状の小さい部品で構成でき、これにより動き報知部を薄型且つ小型化することが可能であり、壁掛け式にすることができる。従って、動き報知部を壁掛け式薄型報知板とすることにより、前記動きによる報知が一層目立ちやすくなり、これにより、耳の不自由な人等に対する報知漏れを更に防止することができる。
【発明を実施するための最良の形態】
【０００８】  以下、本発明の実施の一形態を説明する。
実施の形態１．
図１は本発明の実施の形態１における音感知報知システムの構成を示すブロック図であり、例として２系統の音を感知し、その系統を明示して報知するようにしたものである。
図１において、１は第１のセンサ部１ａ１、第１の出力部１ａ２、第２のセンサ部１ｂ１、および第２の出力部１ｂ２とを備えた音感知部、２は送信アンテナ２ａを備えた送信部、３は受信アンテナ３ａを備えた受信部、４は駆動部、５は動き報知部５ａ、第１の光報知部５ｂ、第２の光報知部５ｃおよび第３の光報知部５ｄとを備えた報知部である。【０００９】  次に、図１の動作について説明する。
音感知部１の第１のセンサ部１ａ１および第２のセンサ部１ｂ１は例えばマイクロフォンを備えたものであり、それぞれ音源からの発生音を感知する。例えば、第１のセンサ部１ａ１は玄関インターホンに密着させて設置し、このインターホンより発せられるチャイム音等を感知する。また、第２のセンサ部１ｂ１は電話機に密着させて設置し、この電話機より発せられる着信音を感知する。第１のセンサ部１ａ１による感知信号は第１の出力部１ａ２へ入力し、第２のセンサ部１ｂ１による感知信号は第２の出力部１ｂ２へ入力する。これら第１の出力部１ａ２または第２の出力部１ｂ２は前段のセンサ部それぞれが音を感知したときには各センサ部ごとに予め定めた感知信号を出力する。即ち、第１の出力部１ａ２は予め定めた感知信号Ｓａを出力し、第２の出力部１ｂ２は予め定めた感知信号Ｓｂを出力する。これら感知信号Ｓａと感知信号Ｓｂとは異なる信号である。第１の出力部１ａ２から出力された感知信号Ｓａまたは第２の出力部１ｂ２から出力された感知信号Ｓｂはそれぞれ送信部２へ送出される。送信部２は予め定めた周波数の搬送波を入力された感知信号Ｓａまたは感知信号Ｓｂで所定の変調方式に従い変調し、ワイヤレス信号（電波）Ｗｓとして送信アンテナ２ａより送信する。なお、変調方式は振幅変調（ＡＭ）または周波数変調（ＦＭ）等のいずれでもよく、その変調方式は予め設定しておく。【００１０】  送信アンテナ２ａより送信されたワイヤレス信号Ｗｓは受信部３の受信アンテナ３ａで受信される。受信部３は受信したワイヤレス信号Ｗｓから感知信号Ｓａまたは感知信号Ｓｂを復調する。以下、この受信部３で復調した感知信号Ｓａを復調感知信号Ｓ１とし、復調した感知信号Ｓｂを復調感知信号Ｓ２とする。この復調感知信号Ｓ１または復調感知信号Ｓ２は駆動部４へ送出される。
駆動部４は受信部３より復調感知信号Ｓ１または復調感知信号Ｓ２が入力されたときには、これら感知信号に基づき報知部５を駆動する。
この報知部５は光により報知するとともに、動きによっても報知するようにしたものであり、動き報知部５ａは動きにより報知し、第１の光報知部５ｂ、第２の光報知部５ｃおよび第３の光報知部５ｄは光により報知する。第１の光報知部５ｂ、第２の光報知部５ｃおよび第３の光報知部５ｄそれぞれは例えば発光ダイオード（ＬＥＤ）を表示素子として使用し、この表示素子の発光により報知する。【００１１】  上記動き報知部５ａは通電のオンオフにより線長が伸縮変化する形状記憶合金からなる線材を使用したものであって、この線長の伸縮変化を駆動力源として予め定めた動きを発生し報知する。この動き報知部５ａの具体的構成例については後述する。また、第１の光報知部５ｂは動き報知部５ａの動きに連動してＬＥＤ等による表示動作がオンオフする。
これら動き報知部５ａおよび第１の光報知部５ｂは第１のセンサ部１ａ１による音感知に対応した復調感知信号Ｓ１または第２のセンサ部１ｂ１による音感知に対応した復調感知信号Ｓ２のいずれの信号に対しても作動する。
また、第２の光報知部５ｃは第１のセンサ部１ａ１による音感知に対応した復調感知信号Ｓ１に対してＬＥＤ等による表示が作動し、第３の光報知部５ｄは第２のセンサ部１ｂ１による音感知に対応した復調感知信号Ｓ２に対してＬＥＤ等による表示が作動する。
駆動部４は上記作動となるように動き報知部５ａ、第１の光報知部５ｂ、第２の光報知部５ｃおよび第３の光報知部５ｄそれぞれを駆動する。【００１２】  次に、駆動部４の具体的構成例について図２で説明する。
図２は駆動部４の具体的構成例を示すブロック図である。
図２に示す駆動部４は図１の構成に対応したものであり、第１の時限タイマ部４ａ、第２の時限タイマ部４ｂおよびオンオフ部４ｃとを備えている。
上記第１の時限タイマ部４ａには第１のセンサ部１ａ１による音感知に対応した復調感知信号Ｓ１が受信部３より入力し、第２の時限タイマ部４ｂには第２のセンサ部１ｂ１による音感知に対応した復調感知信号Ｓ２が受信部３より入力する。これら２系統の第１の時限タイマ部４ａおよび第２の時限タイマ部４ｂは、報知部５の作動時間を設定するものである。
第１の時限タイマ部４ａは復調感知信号Ｓ１の入力を起点に予め設定された作動時間Ｔａをカウントし、このＴａの間、作動設定信号Ｓ３をオンオフ部４ｃおよび報知部５の第２の光報知部５ｃへ出力し、これらオンオフ部４ｃおよび第２の光報知部５ｃを作動設定する。この作動設定されている間が報知部５の動き報知部５ａ、第１の光報知部５ｂおよび第２の光報知部５ｃそれぞれの作動時間となる。【００１３】  また、第２の時限タイマ部４ｂは復調感知信号Ｓ２の入力を起点に予め設定された作動時間Ｔｂをカウントし、このＴｂの間、作動設定信号Ｓ４をオンオフ部４ｃおよび報知部５の第３の光報知部５ｄへ出力し、これらオンオフ部４ｃおよび第３の光報知部５ｄを作動設定する。この作動設定されている間が報知部５の動き報知部５ａ、第１の光報知部５ｂおよび第３の光報知部５ｄそれぞれの作動時間となる。
前記のように、作動時間Ｔａ，Ｔｂは第１の時限タイマ部４ａおよび第２の時限タイマ部４ｂそれぞれに予め設定しておくが、この設定において、作動時間Ｔａと作動時間Ｔｂは同一時間としてもよく、または各別個の時間としてもよい。
また、オンオフ部４ｃは報知部５の動き報知部５ａおよび第１の光報知部５ｂの動作（通電）をオンオフするためのオンオフ設定信号Ｓ５を発生する。このオンオフ設定信号Ｓ５を発生維持する時間（期間）は前述のように、第１の時限タイマ部４ａからの作動設定信号Ｓ３または第２の時限タイマ部４ｂからの作動設定信号Ｓ４により設定される。【００１４】  上記オンオフ設定信号Ｓ５は図２中に示すように、オン期間Ｔｎとオフ期間Ｔｆとを交互に繰り返す信号である。ここで、オン期間Ｔｎとオフ期間Ｔｆとは同一期間（時間）でも、または異なる期間でもよい。図２中に示すオンオフ設定信号Ｓ５はオン期間Ｔｎとオフ期間Ｔｆとを同一期間とした例である。
以上説明のように、駆動部４はその全体動作として、受信部３より復調感知信号Ｓ１が第１の時限タイマ部４ａに入力したときには、第１の時限タイマ部４ａはこの入力を起点に作動時間Ｔａをカウントし、このＴａの間、作動設定信号Ｓ３によりオンオフ部４ｃおよび第２の光報知部５ｃを作動設定する。また、オンオフ部４ｃはこの作動設定されている間、オンオフ設定信号Ｓ５を発生する。これら作動設定信号Ｓ３およびオンオフ設定信号Ｓ５により作動設定している間、報知部５の動き報知部５ａ、第１の光報知部５ｂおよび第２の光報知部５ｃが作動することとなる。【００１５】  また、受信部３より復調感知信号Ｓ２が第２の時限タイマ部４ｂに入力したときには、第２の時限タイマ部４ｂはこの入力を起点に作動時間Ｔｂをカウントし、このＴｂの間、作動設定信号Ｓ４によりオンオフ部４ｃおよび第３の光報知部５ｄを作動設定する。また、オンオフ部４ｃはこの作動設定されている間、オンオフ設定信号Ｓ５を発生する。
これら作動設定信号Ｓ４およびオンオフ設定信号Ｓ５により作動設定している間、報知部５の動き報知部５ａ、第１の光報知部５ｂおよび第３の光報知部５ｄが作動することとなる。【００１６】  次に、動き報知部５ａの具体的構成例について図３で説明する。
図３は第１の光報知部５ｂを含めた動き報知部５ａの具体例を示す構成図であり、図１および図２に対応したものである。
図３において、１１は通電のオンオフにより線長が伸縮変化する形状記憶合金（例えばチタン・ニッケル合金）からなる線材（以下、「伸縮線材」とする）、１２，１３，１４は伸縮線材１１の伸縮を滑らかにするように自由回動するプーリー、１５は伸縮線材１１の伸縮に連動して伸縮するスプリング、１６は伸縮線材１１の線長の伸縮変化を駆動力源としてＰ１を支点として左右に振れる動きをする指針である。
また、１７は所定電圧値の直流電源、１８は駆動部４のオンオフ部４ｃからのオンオフ設定信号Ｓ５によりオンオフされるスイッチである。【００１７】  また、スプリング１５の一端側は固定点Ｐ２に固定し、このスプリング１５の他端側と伸縮線材１１の一端側および指針１６の一端側とを結合し、この結合点を作動点Ｐ３とする。伸縮線材１１の他端側は固定点Ｐ４に固定する。
また、伸縮線材１１に弛みが生じないようにスプリング１５、プーリー１２，１３，１４および固定点Ｐ４の各位置を定めておく。
また、作動点Ｐ３に結合した伸縮線材１１の端部と固定点Ｐ４に固定した伸縮線材１１の端部との間にはスイッチ１８を介し直流電源１７を接続する。さらにこのスイッチ１８を介し第１の光報知部５ｂの表示部５ｂ１に直流電源１７を接続する。
次に、図３の動作について説明する。
オンオフ設定信号Ｓ５のオフ期間Ｔｆではスイッチ１８はオフであり、伸縮線材１１の両端間には直流電源１７からの直流電圧は印加されず、電流は流れない。このスイッチ１８がオフの状態時には作動点Ｐ３はＡ点の位置にある。なお、作動点Ｐ３がＡ点の位置にある状態ではスプリング１５は略収縮した状態である。【００１８】  次いで、オンオフ設定信号Ｓ５のオン期間Ｔｎによりスイッチ１８がオンすると、伸縮線材１１の両端間には直流電源１７からの直流電圧が印加される通電状態となり、電流が流れる。形状記憶合金からなる伸縮線材１１に電流が流れた場合、伸縮線材１１は収縮し、線長Ｌ１が短くなる。この場合、スプリング１５のスプリング力は、線長Ｌ１の収縮を妨げない力としておく。また、自由回動するプーリー１２，１３，１４により伸縮線材１１は滑らかに収縮する。これにより、スプリング１５は伸長した状態となる。また、伸縮線材１１の収縮する長さは収縮前の線長Ｌ１に対する比率に従う。この比率は伸縮線材１１の材質で定まる既定値である。
伸縮線材１１の収縮により作動点Ｐ３は引っ張られてＡ点からＢ点へ移行する。これにより、指針１６はＰ１を支点として時計方向（右方向）へ振れることとなる。指針１６の振れ角度θはＡ点とＢ点間の長さおよび支点Ｐ１と作動点Ｐ３間の長さにより定まる。
また、この振れ角度θにおける指針１６の先端部Ｐ５の振れる長さＬ２は、支点Ｐ１と作動点Ｐ３間の長さに対する支点Ｐ１と先端部Ｐ５間の長さの比率を大きくするほど長くなる。【００１９】  次いで、オンオフ設定信号Ｓ５がオフ期間Ｔｆとなり、スイッチ１８がオフすると、伸縮線材１１の通電はオフされて電流は遮断される。この通電オフにより、伸縮線材１１は伸長し、線長Ｌ１が元の長さへ戻る。この伸縮線材１１の伸長により、スイッチ１８のオン時に伸長したスプリング１５が自己のスプリング力で収縮する。スプリング１５の収縮により作動点Ｐ３は引っ張られてＢ点から元の位置Ａ点へ戻る。これにより、指針１６はＰ１を支点として反時計方向（左方向）へ振れることとなる。
以下、上記スイッチ１８のオンオフによる伸縮線材１１の収縮と伸長の動作が繰り返される。また、この動作は前述のように、第１の時限タイマ部４ａおよび第２の時限タイマ部４ｂにより設定された時間行われる。
以上説明のように、指針１６は伸縮線材１１の線長Ｌ１の伸縮変化を駆動力源としてＰ１を支点として左右方向に振れる動きをすることなる。【００２０】  上記指針１６の振れによる報知に連動して第１の光報知部５ｂも作動する。即ち、例えばＬＥＤを表示素子とした表示部５ｂ１を備えた第１の光報知部５ｂを指針１６の振れに連動して作動させる。この表示部５ｂ１はスイッチ１８を介し直流電源１７と接続しているので、オンオフ設定信号Ｓ５によるスイッチ１８のオンオフに従い指針１６の振れに連動して点滅表示する。【００２１】  以上のように、本発明による音感知報知システムによれば、第１のセンサ部１ａ１または第２のセンサ部１ｂ１のいずれかが音を感知したときには、その感知信号Ｓａまたは感知信号Ｓｂを送信部２よりワイヤレス信号Ｗｓで受信部３側へ送信し、受信部３側においては受信した信号に従い、駆動部４により駆動される報知部５において動き報知部５ａの指針１６の振れにより動き報知するとともに、この動き報知部５ａに連動して第１の光報知部５ｂにより光によっても報知するので、日中の室内等のように周囲が明るい環境下であっても耳の不自由な人等に対する報知漏れを防止することができる。
また、動き報知部５ａは細線の伸縮線材１１および形状の小さい部品で構成することができ、また、３つの光報知部５ｂ，５ｃ，５ｄそれぞれにおいてもＬＥＤ等の形状の小さい部品で構成することができるので、報知部５を薄型且つ小型化が可能であり、壁掛け式にすることができる。従って、報知部５を壁掛式薄型報知板とすることにより、前記動きによる報知および光による報知が一層目立ちやすくなり、これにより、耳の不自由な人に対する報知漏れを更に防止することができる。【００２２】  また、報知部５の第２の光報知部５ｃは第１のセンサ部１ａ１による音感知に対応して表示作動し、第３の光報知部５ｄは第２のセンサ部１ｂ１による音感知に対応して表示作動するので、この表示により感知された音源を直ちに認識できる。例えば、第１のセンサ部１ａ１は玄関インターホンに設置し、第２のセンサ部１ｂ１は電話機に設置した場合、感知された音源が玄関インターホンなのか、または電話機なのかを容易に区別することができる。
また、本発明による音感知報知システムはワイヤレス信号方式であるので、配線等の設置工事は不要であり、設置が容易である。
また、送信部２側および受信部３側双方とも消費電力は小さく、双方とも電池駆動が可能である。この電池駆動にすることにより携帯形にすることも可能となり、持ち運びが容易となる。【００２３】  以上の説明では、動き報知部５ａは図３のように、伸縮線材１１の伸縮により指針１６を左右に振らす構成としたが、この構成に限るものではなく、伸縮線材１１の伸縮変化を駆動力源として動きを発生するものであればよい。例えば、模型の小鳥の羽を音感知に合せて羽ばたくようにしてもよい。
また、音感知部１は２系統のセンサで構成したが、この構成に限るものではなく、１系統または３系統以上であってもよい。この場合、駆動部４の時限タイマ部の数および報知部５の光報知部の数をセンサ数に対応させることは云うまでもない。【００２４】  また、前記図１の構成はワイヤレス信号Ｗｓによるワイヤレス方式としたものであるが、送信部２および受信部３を削除した有線方式としてもよい。
この有線方式とする場合について図１を利用して説明すれば、音感知部１の第１のセンサ部１ａ１による感知信号Ｓａまたは第２のセンサ部１ｂ１による感知信号Ｓｂをそれぞれ駆動部４へ送出する。駆動部４は第１のセンサ部１ａ１による感知信号Ｓａまたは第２のセンサ部１ｂ１による感知信号Ｓｂが入力されたときには、報知部５を駆動する。この報知部５の駆動は前記同様であり、説明は省略する。
【図面の簡単な説明】
【００２５】
【図１】  本発明の実施の形態１における音感知報知システムの構成を示すブロック図である。
【図２】  図１の音感知報知システムにおける駆動部の具体的構成例を示すブロック図である。
【図３】  図１の音感知報知システムにおける第１の光報知部を含めた動き報知部の具体例を示す構成図である。
【符号の説明】
【００２６】  １  音感知部、１ａ１，１ｂ１  センサ部、１ａ２，１ｂ２  出力部、２  送信部、２ａ  送信アンテナ、３  受信部、３ａ  受信アンテナ、４  駆動部、４ａ，４ｂ  時限タイマ部、４ｃ  オンオフ部、５  報知部、５ａ  動き報知部、５ｂ，５ｃ，５ｄ  光報知部、５ｂ１  表示部、１１  伸縮線材、１２，１３，１４  プーリー、１５  スプリング、１６  指針、１７  直流電源、１８  スイッチ。
【図１】
2008097559.tif 000003
【図２】
2008097559.tif 000004
【図３】
2008097559.tif 000005